(57)【要約】【課題】  映像情報記録再生装置において、情報記録媒体に録画した映像に対して、使用者が必要な情報を付加することで、その情報を参照しながら映像を再生する装置、媒体、および方法を実現する。【解決手段】  本発明の映像情報記録再生装置は、録画した映像に関して使用者が必要な情報をインターネットを利用して取得できると共に、インターネットより取得したＷｅｂサイト情報を映像にリンクさせることができる。また、本発明の映像情報記録再生装置は、録画した映像を再生する際に、履歴情報操作手段により使用者にＷｅｂサイト情報の取得履歴を開示する。【選択図】図１
2008092483.tif 000002
【特許請求の範囲】
【請求項１】
テレビ放送を受信する放送受信手段と、
電話回線などを通じてインターネットに接続するインターネット接続手段と、
使用者が文字を入力することができる文字入力手段と、
情報記録媒体に対して前記放送受信手段より送られた映像を記録し再生を行う装置であって、
前記情報記録媒体に記録された映像に対して、使用者が前記インターネット接続手段および前記文字入力手段を用いて取得したＷｅｂサイト情報を、映像に関連した情報として前記情報記録媒体に記録する映像関連情報操作手段とを備えることを特徴とする映像情報記録再生装置。
【請求項２】
請求項１の映像情報記録再生装置において、
前記情報記録媒体に映像に関連した情報が記録されている場合には、使用者にＷｅｂサイト情報が取得された履歴を開示する履歴情報操作手段を備え、
前記履歴情報操作手段により取得した履歴を前記情報記録媒体に記録することを特徴とする映像情報記録再生装置。
【請求項３】
請求項１の映像情報記録再生装置において、
前記情報記録媒体から映像を再生する際に、前記Ｗｅｂサイト情報および映像を装置外部に送信するための情報に変換する映像情報送信手段を備え、
前記映像情報送信手段を介して、前記Ｗｅｂサイト情報と映像を一緒に表示することを特徴とする映像情報記録再生装置。
【請求項４】
請求項１の映像情報記録再生装置において、
使用者からの前記Ｗｅｂサイト情報を選択する指示に基づいて、前記インターネット接続手段によりＷｅｂサイトにアクセスすることを特徴とする映像情報記録再生装置。
【請求項５】
請求項２の映像情報記録再生装置において、
前記映像関連情報操作手段は、使用者からのＷｅｂサイト情報を削除する指示に基づいて、前記情報記録媒体上の映像に関連した情報を削除し、
前記履歴情報操作手段は、使用者にＷｅｂサイト情報が削除されたことを開示し、また、前記情報記録媒体から取得履歴を削除することを特徴とする映像情報記録再生装置。
【請求項６】
番組関連データ付きテレビ放送を受信する放送受信手段と、
電話回線などを通じてインターネットに接続するインターネット接続手段と、
情報記録媒体に対して前記放送受信手段より送られた映像を記録し再生を行う装置であって、
前記情報記録媒体に記録された映像に対して、前記番組関連データに基づいて、前記インターネット接続手段を用いて自動的にＷｅｂサイト情報を取得するＷｅｂサイト情報取得プログラムを備え、
前記情報記録媒体に記録された映像に対して、前記Ｗｅｂサイト情報取得プログラムにより取得したＷｅｂサイト情報を、映像に関連した情報として前記情報記録媒体に記録する映像関連情報操作手段とを備えることを特徴とする映像情報記録再生装置。
【請求項７】
請求項６の映像情報記録再生装置において、
前記情報記録媒体に映像に関連した情報が記録されている場合には、使用者にＷｅｂサイト情報が取得された履歴を開示する履歴情報操作手段を備え、
前記履歴情報操作手段により取得した履歴を前記情報記録媒体に記録することを特徴とする映像情報記録再生装置。
【請求項８】
請求項６の映像情報記録再生装置において、
前記情報記録媒体から映像を再生する際に、前記Ｗｅｂサイト情報および映像を装置外部に送信するための情報に変換する映像情報送信手段を備え、
前記映像情報送信手段を介して、Ｗｅｂサイト情報と映像を一緒に表示することを特徴とする映像情報記録再生装置。
【請求項９】
請求項６の映像情報記録再生装置において、
使用者からのＷｅｂサイト情報を選択する指示に基づいて、前記インターネット接続手段によりＷｅｂサイトにアクセスすることを特徴とする映像情報記録再生装置。
【請求項１０】
請求項７の映像情報記録再生装置において、
前記映像関連情報操作手段は、使用者からのＷｅｂサイト情報を削除する指示に基づいて、前記情報記録媒体上の映像に関連した情報を削除し、
前記履歴情報操作手段は、使用者にＷｅｂサイト情報が削除されたことを開示し、また、前記情報記録媒体から取得履歴を削除することを特徴とする映像情報記録再生装置。
【請求項１１】
番組関連データ付きテレビ放送を受信する放送受信手段と、
電話回線などを通じてインターネットに接続するインターネット接続手段と、
使用者が文字を入力することができる文字入力手段と、
情報記録媒体に対して前記放送受信手段より送られた映像を記録し再生を行う装置であって、
前記情報記録媒体に記録された映像に対して、前記番組関連データに基づいて、前記インターネット接続手段を用いて自動的にＷｅｂサイト情報を取得するＷｅｂサイト情報取得プログラムを備え、
前記Ｗｅｂサイト情報取得プログラムにより取得したＷｅｂサイト情報、もしくは、使用者が前記インターネット接続手段および前記文字入力手段を用いて取得したＷｅｂサイト情報を、映像に関連した情報として前記情報記録媒体に記録する映像関連情報操作手段とを備えることを特徴とする映像情報記録再生装置。
【請求項１２】
請求項１１の映像情報記録再生装置において、
前記情報記録媒体上に映像に関連した情報が記録されている場合には、使用者に前記Ｗｅｂサイト情報取得プログラム、もしくは、前記文字入力手段によってＷｅｂサイト情報が取得された履歴を開示する履歴情報操作手段を備え、
前記履歴情報操作手段により取得した履歴を前記情報記録媒体に記録することを特徴とする映像情報記録再生装置。
【請求項１３】
請求項１１の映像情報記録再生装置において、
前記情報記録媒体から映像を再生する際に、前記Ｗｅｂサイト情報および映像を装置外部に送信するための情報に変換する映像情報送信手段を備え、
前記映像情報送信手段を介して、Ｗｅｂサイト情報と映像を一緒に表示することを特徴とする映像情報記録再生装置。
【請求項１４】
請求項１１の映像情報記録再生装置において、
使用者からのＷｅｂサイト情報を選択する指示に基づいて、前記インターネット接続手段によりＷｅｂサイトにアクセスすることを特徴とする映像情報記録再生装置。
【請求項１５】
請求項１２の映像情報記録再生装置において、
前記映像関連情報操作手段は、使用者からのＷｅｂサイト情報を削除する指示に基づいて、前記情報記録媒体上の映像に関連した情報を削除し、
前記履歴情報操作手段は、使用者にＷｅｂサイト情報が削除されたことを開示し、また、前記情報記録媒体から取得履歴を削除することを特徴とする映像情報記録再生装置。
【請求項１６】
電話回線などを通じてインターネットに接続するインターネット接続手段と、
使用者が文字を入力することができる文字入力手段と、
情報記録媒体に対して映像を記録し再生を行う装置であって、
前記情報記録媒体に記録された映像に対して、使用者が前記インターネット接続手段および前記文字入力手段を用いて取得したＷｅｂサイト情報を、映像に関連した情報として前記情報記録媒体に記録する映像関連情報操作手段とを備えることを特徴とする映像情報記録再生装置。
【請求項１７】
請求項１６の映像情報記録再生装置において、
前記情報記録媒体に映像に関連した情報が記録されている場合には、使用者にＷｅｂサイト情報が取得された履歴を開示する履歴情報操作手段を備え、
前記履歴情報操作手段により取得した履歴を前記情報記録媒体に記録することを特徴とする映像情報記録再生装置。
【請求項１８】
請求項１６の映像情報記録再生装置において、
前記情報記録媒体から映像を再生する際に、前記Ｗｅｂサイト情報および映像を装置外部に送信するための情報に変換する映像情報送信手段を備え、
前記映像情報送信手段を介して、Ｗｅｂサイト情報と映像を一緒に表示することを特徴とする映像情報記録再生装置。
【請求項１９】
請求項１６の映像情報記録再生装置において、
使用者からの前記Ｗｅｂサイト情報を選択する指示に基づいて、前記インターネット接続手段によりＷｅｂサイトにアクセスすることを特徴とする映像情報記録再生装置。
【請求項２０】
請求項１７の映像情報記録再生装置において、
前記映像関連情報操作手段は、使用者からのＷｅｂサイト情報を削除する指示に基づいて、前記情報記録媒体上の映像に関連した情報を削除し、
前記履歴情報操作手段は、使用者にＷｅｂサイト情報が削除されたことを開示し、また、前記情報記録媒体から取得履歴を削除することを特徴とする映像情報記録再生装置。
【発明の詳細な説明】
【技術分野】
【０００１】
本発明は、映像情報に関して使用者が自ら情報をインターネットを利用して取得することができ、また、以前に取得した情報を使用者に開示することができる映像情報記録再生装置に関する。
【背景技術】
【０００２】
近年のテレビ放送の動向は、アナログ放送からデジタル放送へ切り替わろうとしており、一部の地域では地上デジタル放送が開始されている。地上デジタル放送においては、番組のコピー管理情報や番組に関連する情報を付加して配信を行うことで、利用者に番組情報を提供する仕組みになっている。
【０００３】
また、デジタル放送に対応して近年の映像記録再生装置の動向は、より高精細なＨｉｇｈ Ｄｅｆｉｎｉｔｉｏｎ（以下、ＨＤと記す）映像を録画／再生することができるＤＶＤ／ＨＤＤレコーダが普及し始めている。そのため、ＤＶＤ／ＨＤＤレコーダの内部に搭載される記録媒体であるＨＤＤの記録容量は大容量化の傾向にあり、また、リムーバブルな記録媒体であるＤＶＤは、記録容量が５倍であるＢｌｕ−ｒａｙ Ｄｉｓｃ等に置き換わろうとしている。さらに、映像を従来よりも高圧縮することにより、ＨＤ映像を画質の劣化を抑えて従来の数倍時間で録画することが可能となった。
【０００４】
一方、インターネットの普及に伴って、使用者は自ら必要な情報を得るためにＷｅｂサイトを閲覧し、それにより様々なサービスを利用できるようになった。
【０００５】
これまでに、テレビ放送とＷｅｂサイト（Ｗｅｂコンテンツ）を関連付けて、使用者に情報を提供する方法が提案されている。
【０００６】
例えば特許文献１では、情報提供装置が利用者識別情報に基づいてＤａｔａ Ｂａｓｅから放送番組に連動したＷｅｂコンテンツを検索し、利用者は電子メールを用いて情報を取得する手段が記載されている。
【０００７】
【特許文献１】特開２００３−１８９２８１号公報
【発明の開示】
【発明が解決しようとする課題】
【０００８】
しかし、上記のような地上デジタル放送における番組情報の配信や関連するＷｅｂコンテンツの配信サービスは受動型であり、使用者が自ら情報を検索して取得することができないという問題が生じる。（第１の課題）
また、近年の映像記録再生装置の動向として、映像を長時間録画することが可能となったために、使用者が過去に録画した内容を忘れてしまったり、録画した映像の中から見たい映像を探す事ができないという問題が生じる。（第２の課題）
そこで本発明の目的は、上記第１の課題を解決するために、映像に関して使用者が自ら必要な情報をインターネットを利用して取得できると共に、インターネットより取得したＷｅｂサイト情報を映像にリンクさせることができ、また、上記第２の課題を解決するために、録画した映像を使用者が再生する際に、取得したＷｅｂサイトの情報を開示することができる映像情報記録再生装置、情報記録媒体および映像関連情報取得方法を提供する。
【課題を解決するための手段】
【０００９】
電話回線などを通じてインターネットに接続するインターネット接続手段と、使用者が文字を入力することができる文字入力手段と、情報記録媒体に対して放送受信手段より送られた映像を記録し再生を行う装置であって、情報記録媒体に記録された映像に関して、使用者がインターネット接続手段および文字入力手段を用いて取得したＷｅｂサイト情報を情報記録媒体に映像に関連した情報として記録することができる映像関連情報操作手段とを備える。
【００１０】
また、情報記録媒体上に映像に関連した情報が記録されている場合には、使用者にＷｅｂサイト情報が取得された履歴を開示する履歴情報操作手段を備え、履歴情報操作手段により取得した履歴を前記情報記録媒体に記録する。
【００１１】
また、情報記録媒体から映像を再生する際に、Ｗｅｂサイト情報および映像を装置外部に送信するための情報に変換する映像情報送信手段を備える。
【００１２】
以上の手段により、使用者からのＷｅｂサイト情報を選択する指示に基づいて、インターネット接続手段によりＷｅｂサイトにアクセスする。
【００１３】
さらに、映像関連情報操作手段は、使用者からのＷｅｂサイト情報を削除する指示に基づいて、情報記録媒体状の映像に関連した情報を削除して、履歴情報操作手段は、使用者にＷｅｂサイト情報が削除されたことを開示し、また、情報記録媒体から取得履歴を削除する。
【発明の効果】
【００１４】
本発明によれば、映像に関して取得したＷｅｂサイトの情報を開示する映像記録再生装置を実現することができる。
【発明を実施するための最良の形態】
【００１５】
以下、本発明の実施の形態となる実施例について、図面を参照しながら詳細に説明する。
【実施例１】
【００１６】
図１は、実施例１における映像情報記録再生装置１の構成を示す図である。
【００１７】
図１において、テレビ番組や番組関連データなどを送信する放送局１０１からの映像情報を受信し、モニター装置１０４に送信する放送受送回路２を備え、使用者が文字情報を入力する文字入力部３と、放送受送回路２より送られた映像を録画するハードディスクあるいは光ディスクあるいは半導体メモリーなどの情報記録媒体４と、文字入力部３の情報に基づいてインターネット１０２に接続してＷｅｂサイト１０３にアクセスするインターネット接続回路５とを備える。それにより、例えば図７のように、映像情報記録再生装置１に接続されたモニター装置１０４の画面にはテレビ放送とＷｅｂサイト情報を同時に複数の画面で表示させることができる。
【００１８】
また、映像情報記録再生装置１には、使用者が文字入力部３とインターネット接続回路５を利用して取得したＷｅｂサイト情報を、映像に関連した情報として情報記録媒体４に記録するエンコード回路６を備える。ここで、情報記録媒体４に映像に関連した情報が記録されている場合には、使用者にＷｅｂサイト情報が取得された履歴を開示する履歴情報操作回路７を備え、また、履歴情報操作回路７により取得履歴を情報記録媒体４に記録する。このとき、例えば図５（ａ）のように、情報がいつ取得されたのかを使用者に報告する。
【００１９】
一方、映像情報記録再生装置１は、情報記録媒体４から録画された映像を再生する際に、エンコード回路６により記録されたＷｅｂサイト情報および映像を映像情報記録再生装置１の外部に送信するための情報に変換するデコード回路８を備える。
【００２０】
図１の構成により、デコード回路８を介して、例えば図８のように、映像情報記録再生装置１に接続されたモニター装置１０４の画面には録画した映像とＷｅｂサイトアドレスとを一緒に表示させることができる。また、表示されたＷｅｂサイト情報に対して、使用者からのＷｅｂサイト情報を選択する指示に基づいて、インターネット接続回路５によりＷｅｂサイト１０３にアクセスすることができる。
【００２１】
さらに、エンコード回路６は、使用者からのＷｅｂサイト情報を削除する指示に基づいて、Ｗｅｂサイト情報を削除する。履歴情報操作回路７は、使用者にＷｅｂサイト情報が削除されたことを開示し、また、履歴情報操作回路７により情報記録媒体４から取得履歴を削除する。このとき、例えば図６（ａ）のように、情報がいつ削除されたのかを使用者に報告する。
【００２２】
以上実施例１では、録画した映像に関して、使用者が自ら必要な情報をインターネットを利用して取得することができる。また、録画した映像にＷｅｂサイトの情報をリンクさせることができる。さらに、録画した映像を使用者が再生する際に、取得したＷｅｂサイトの情報を開示することができる。
【実施例２】
【００２３】
図２は、実施例２における映像情報記録再生装置１の構成を示す図である。
【００２４】
図２において、符号２と７と８、符号１０１から１０４の動作および機能については、前記実施例１の図１における符号と同様であるため、それらの説明については省略する。
【００２５】
図２の映像情報記録再生装置１は、放送受送回路２における番組関連データに基づいて映像に関連するＷｅｂサイト情報を自動的に取得するＷｅｂサイト情報取得プログラムＡと、放送受送回路２より送られた映像を録画するハードディスクなどの情報記録媒体４と、Ｗｅｂサイト情報取得プログラムＡに基づいてインターネット１０２に接続してＷｅｂサイト１０３にアクセスするインターネット接続回路５とを備える。それにより、例えば図７のように、映像情報記録再生装置１に接続されたモニター装置１０４の画面にはテレビ放送とＷｅｂサイト情報を同時に複数の画面で表示させることができる。ここで、Ｗｅｂサイト情報取得プログラムＡは、使用者が必要な場合に動作する。
【００２６】
また、映像情報記録再生装置１には、Ｗｅｂサイト情報取得プログラムＡとインターネット接続回路５を利用して取得したＷｅｂサイト情報を、映像に関連した情報として情報記録媒体４に記録するエンコード回路６を備える。
【００２７】
図２の構成により、デコード回路８を介して、例えば図８のように、映像情報記録再生装置１に接続されたモニター装置１０４の画面には録画した映像とＷｅｂサイトアドレスとを一緒に表示させることができる。また、表示されたＷｅｂサイト情報に対して、使用者からのＷｅｂサイト情報を選択する指示に基づいて、インターネット接続回路５によりＷｅｂサイト１０３にアクセスすることができる。
【００２８】
以上実施例２では、録画した映像に関して、使用者が必要な情報をインターネットを利用して取得することができる。また、録画した映像にＷｅｂサイトの情報をリンクさせることができる。さらに、録画した映像を使用者が再生する際に、取得したＷｅｂサイトの情報を開示することができる。
【実施例３】
【００２９】
図３は、実施例３における映像情報記録再生装置１の構成を示す図である。
図３において、符号２と３と８、符号１０１から１０４、符号Ａの動作および機能については、前記実施例１の図１および前記実施例２の図２における符号と同様であるため、それらの説明については省略する。
【００３０】
図３の映像情報記録再生装置１は、放送受送回路２より送られた映像を録画するハードディスクなどの情報記録媒体４と、文字入力部３の情報あるいはＷｅｂサイト情報取得プログラムＡに基づいてインターネット１０２に接続してＷｅｂサイト１０３にアクセスするインターネット接続回路５とを備える。それにより、例えば図７のように、映像情報記録再生装置１に接続されたモニター装置１０４の画面にはテレビ放送とＷｅｂサイト情報を同時に複数の画面で表示させることができる。ここで、Ｗｅｂサイト情報取得プログラムＡは、使用者が必要な場合に動作する。
【００３１】
また、映像情報記録再生装置１には、使用者が文字入力部３あるいはＷｅｂサイト情報取得プログラムＡとインターネット接続回路５を用いて取得したＷｅｂサイト情報を、映像に関連した情報として情報記録媒体４に記録するエンコード回路６を備える。ここで、情報記録媒体４に映像に関連した情報が記録されている場合には、使用者にＷｅｂサイト情報が付加された履歴を開示する履歴情報操作回路７を備える。このとき、文字入力部３を用いてＷｅｂサイト情報を取得した場合には、例えば図５（ａ）のように、情報がいつ取得されたのかを使用者に報告する。また、Ｗｅｂサイト情報取得プログラムＡを介してＷｅｂサイト情報を取得した場合には、例えば図５（ｂ）のように、情報が自動的にいつ取得されたのかを使用者に報告する。
【００３２】
図３の構成により、デコード回路８を介して、例えば図８のように、映像情報記録再生装置１に接続されたモニター装置１０４の画面には録画した映像とＷｅｂサイトアドレスとを一緒に表示させることができる。また、使用者からのＷｅｂサイト情報を選択する指示に基づいて、インターネット接続回路５によりＷｅｂサイト１０３にアクセスすることができる。
【００３３】
さらに、エンコード回路６は、使用者からのＷｅｂサイト情報を削除する指示に基づいて、Ｗｅｂサイト情報を削除する。履歴情報操作回路７は、使用者にＷｅｂサイト情報が削除されたことを開示し、また、履歴情報操作回路７により情報記録媒体４から取得履歴を削除する。このとき、文字入力部３を用いてＷｅｂサイト情報を取得した場合には、例えば図６（ａ）のように、情報がいつ削除されたのかを使用者に報告する。また、Ｗｅｂサイト情報取得プログラムＡを介してＷｅｂサイト情報を取得した場合には、例えば図６（ｂ）のように、自動で取得した情報がいつ削除されたのかを使用者に報告する。
【００３４】
以上実施例３では、録画した映像に関して、使用者が自らあるいは映像情報記録再生装置を用いることで必要な情報をインターネットを利用して取得することができる。また、録画した映像にＷｅｂサイトの情報をリンクさせることができる。さらに、使用者が録画した映像を再生する際に、取得したＷｅｂサイトの情報を開示することができる。
【実施例４】
【００３５】
図４は、実施例４における映像情報記録再生装置１の構成を示す図である。
図４において、符号３と５と７と８、符号１０２から１０４の動作および機能については、前記実施例１の図１における符号と同様であるため、それらの説明については省略する。
【００３６】
図４の映像情報記録再生装置１は、映像出力装置１０５から送られる映像を受信し、モニター装置１０４に送信する映像受送回路９を備え、映像受送回路９より送られた映像を録画するハードディスクなどの情報記録媒体４とを備える。それにより、例えば図７のように、映像情報記録再生装置１に接続されたモニター装置１０４の画面にはテレビ放送とＷｅｂサイト情報を同時に複数の画面で表示させることができる。
【００３７】
図４の構成により、デコード回路８を介して、例えば図７のように、映像情報記録再生装置１に接続されたモニター装置１０４の画面には録画した映像とＷｅｂサイトアドレスとを一緒に表示させることができる。また、使用者からのＷｅｂサイト情報を選択する指示に基づいて、インターネット接続回路５によりＷｅｂサイト１０３にアクセスすることができる。
【００３８】
以上実施例４では、録画した映像に関して、使用者が自ら必要な情報をインターネットを利用して取得することができる。また、録画した映像にＷｅｂサイトの情報をリンクさせることができる。さらに、使用者が録画した映像を再生する際に、取得したＷｅｂサイトの情報を開示することができる。
【実施例５】
【００３９】
図９は、上記の実施例１から実施例４で説明した映像情報記録再生装置において、使用者が映像に関連するＷｅｂサイト情報を取得するための手順の一例を説明するためのフローチャートである。
【００４０】
図９において、まず、Ｓ２０１では放送局１０１から送信されるテレビ番組や番組関連データ、あるいは映像出力装置１０５からの映像情報を受信する。次に、Ｓ２０２では受信した映像情報をハードディスクなどの情報記録媒体に録画する。また、Ｓ２０３では情報記録媒体４に録画した映像を再生する。Ｓ２０４では使用者が映像を再生中に気になるシーンがあった場合に、インターネット接続回路５を利用してインターネットに接続し、Ｓ２０５でＷｅｂサイト情報を取得できる。さらに、Ｓ２０６でＷｅｂサイト情報を映像に関連した情報として情報記録媒体４に録画する。Ｓ２０６の操作の後、Ｓ２０７でＷｅｂサイト情報および映像を再生する場合に、Ｓ２０８でモニター装置１０４の画面上に表示されるＷｅｂサイト情報を選択する。Ｓ２０８の操作により、Ｓ２０９でインターネット接続回路５を利用してインターネットに接続し、Ｓ２１０でＷｅｂサイト情報を取得してモニター装置１０４の画面上に表示する。
【実施例６】
【００４１】
図１０は、上記の実施例１から実施例４で説明した映像情報記録再生装置において、情報記録媒体がハードディスクまたは光ディスク３０１である場合の映像情報記録領域を示す図である。
【００４２】
図１０において、ハードディスクまたは光ディスク上の予め用意された映像情報記録領域に、映像に関連した情報となるＷｅｂサイト情報およびＷｅｂサイト情報の取得履歴が記録される。また、使用者の指示に基づいて、映像情報記録領域に記録されているＷｅｂサイト情報およびＷｅｂサイト情報の取得履歴が削除される。
【実施例７】
【００４３】
図１１は、上記の実施例１から実施例４で説明した映像情報記録再生装置において、映像に関連した情報となるＷｅｂサイト情報およびＷｅｂサイト情報の取得履歴が記録される情報記録媒体が、映像情報記録再生装置の使用者が管理するＷｅｂサイト４０１である場合の情報表示の一例を示している。
【００４４】
図１１において、例えば、映像に関連した情報となるＷｅｂサイトアドレスがいつ取得されたのかが表示される。また、例えば、映像に関連した情報となるＷｅｂサイトアドレスがいつ削除されたのかが表示される。
【図面の簡単な説明】
【００４５】
【図１】本発明の実施例１となる映像情報記録再生装置の構成図。
【図２】本発明の実施例２となる映像情報記録再生装置の構成図。
【図３】本発明の実施例３となる映像情報記録再生装置の構成図。
【図４】本発明の実施例４となる映像情報記録再生装置の構成図。
【図５】Ｗｅｂサイト情報の取得履歴を開示する一例。
【図６】Ｗｅｂサイト情報の削除履歴を開示する一例。
【図７】テレビ放送とＷｅｂサイトの複数表示の一例。
【図８】録画したテレビ放送とＷｅｂサイト情報の同一画面表示の一例。
【図９】本発明の映像情報記録再生装置の操作手順の一例を説明するためのフローチャート。
【図１０】ハードディスクまたは光ディスク上に存在する映像情報記録領域を示す図。
【図１１】Ｗｅｂサイト情報と取得履歴が記録される媒体がＷｅｂサイトである場合の図。
【符号の説明】
【００４６】
１・・・映像情報記録再生装置、２・・・放送受送回路、３・・・文字入力部、
４・・・情報記録媒体、５・・・インターネット接続回路、６・・・エンコード回路、
７・・・履歴情報操作回路、８・・・デコード回路、９・・・映像受送回路、
Ａ・・・Ｗｅｂサイト自動検索プログラム、１０１・・・放送局、１０２・・・インターネット、
１０３・・・Ｗｅｂサイト、１０４・・・モニター装置、１０５・・・映像出力装置、
３０１・・・ハードディスクまたは光ディスク、４０１・・・使用者管理のＷｅｂサイト。
【図１】
2008092483.tif 000003
【図２】
2008092483.tif 000004
【図３】
2008092483.tif 000005
【図４】
2008092483.tif 000006
【図５】
2008092483.tif 000007
【図６】
2008092483.tif 000008
【図７】
2008092483.tif 000009
【図８】
2008092483.tif 000010
【図９】
2008092483.tif 000011
【図１０】
2008092483.tif 000012
【図１１】
2008092483.tif 000013